(57)【要約】【課題】被介護者を少ない手間と少ない肉体的負担とによって入浴させることができる介護用浴槽装置を提供する。【解決手段】槽底壁３及び槽側壁４で形成された浴槽２と、該浴槽２内に昇降自在に配設され、被介護者を横移動によりベッドから移乗させたりベッドに戻したりする移乗位置及び被介護者を入浴させるための入湯位置に変位する台板５と、上記台板５と槽底壁３との間に介設されて上記台板５を上記移乗位置と入湯位置とに昇降させる台板昇降装置６と、上記浴槽２の高さをベッドに合わせて調整するために上記槽底壁３の下面に取り付けられた浴槽昇降装置７とを有する。【選択図】図２
2012100747.tif 000002
【特許請求の範囲】
【請求項１】
槽底壁と槽側壁とで形成されて内部に温湯が張られる浴槽と、
上記浴槽内に昇降自在に配設され、被介護者を横移動させてベッドから移乗させたりベッドに戻したりするための移乗位置と被介護者を入湯させるための入湯位置とに変位する台板と、
上記台板を上記移乗位置と入湯位置とに昇降させるために上記台板と槽底壁との間に介設された台板昇降装置と、
上記浴槽の高さをベッドに合わせて調整するために上記槽底壁の下面に設けられた浴槽昇降装置と、
を有することを特徴とする介護用浴槽装置。
【請求項２】
上記台板昇降装置は、エア給排装置からのエアの給排により上下方向に伸縮する第１エア袋で形成され、２つの第１エア袋が台板の長さ方向の一端寄りの位置と他端寄りの位置とに配設されていることを特徴とする請求項１に記載の浴槽装置。
【請求項３】
上記浴槽昇降装置は、エア給排装置からのエアの給排により上下方向に伸縮する第２エア袋で形成され、２つの第２エア袋が浴槽の長さ方向の一端寄りの位置と他端寄りの位置とに配設されていることを特徴とする請求項１又は２に記載の浴槽装置。
【請求項４】
上記浴槽の槽底壁は硬質材により形成され、上記槽側壁は、エア給排装置からのエアの給排により伸縮自在なるように形成されていて、エアが供給されると伸長して浴槽を形作り、エアが排出されると縮小して折り畳まれることを特徴とする請求項１から３の何れかに記載の浴槽装置。
【請求項５】
上記槽底壁及び台板は、エアが排出された上記槽側壁を内側にして折曲可能であることを特徴とする請求項４に記載の浴槽装置。
【発明の詳細な説明】
【技術分野】
【０００１】
本発明は、被介護者を入浴させるのに適した介護用浴槽装置に関するものである。
【背景技術】
【０００２】
従来、病院や介護施設等において、寝た切り状態にある被介護者を入浴させる場合、介護者が被介護者をベッドから抱き抱えて浴室まで運び、入浴介護を行ったあと、再び抱き抱えてベッドに戻すようにしていた。
しかし、これは介護者にとって大変な重労働であって、肉体的かつ精神的な負担は非常に大きいものであった。
【０００３】
一方、特許文献１には、ベッドに組み込まれた車椅子ユニットをベッドから切り離し、これに浴槽ユニットを合体させて浴槽を形成することにより、被介護者が車椅子に乗ったまま入浴介護を受けられるようにしたものが開示されている。
しかしながら、前記特許文献１に記載のものは、確かに入浴時に被介護者を抱き抱える必要はないものの、構造が非常に複雑で、入浴の際の各種作業工程も複雑である。即ち、入浴の際に、ベッドから車椅子ユニットを分離させる作業と、車椅子ユニットと浴槽ユニットとを合体させる作業と、入浴終了後に車椅子ユニットと浴槽ユニットとを分離させる作業と、車椅子ユニットをベッドに合体させる作業とを必要とし、作業工数が多いために手間がかかるという欠点がある。
【先行技術文献】
【特許文献】
【０００４】
【特許文献１】特開２００３−２９９６９９号公報
【発明の概要】
【発明が解決しようとする課題】
【０００５】
本発明の技術的課題は、被介護者を少ない手間と少ない肉体的負担とによって入浴させることができる介護用浴槽装置を提供することにある。
【課題を解決するための手段】
【０００６】
前記課題を解決するため、本発明の介護用浴槽装置は、槽底壁と槽側壁とで形成されて内部に温湯が張られる浴槽と、上記浴槽内に昇降自在に配設され、被介護者を横移動させてベッドから移乗させたりベッドに戻したりするための移乗位置と被介護者を入湯させるための入湯位置とに変位する台板と、上記台板を上記移乗位置と入湯位置とに昇降させるために上記台板と槽底壁との間に介設された台板昇降装置と、上記浴槽の高さをベッドに合わせて調整するために上記槽底壁の下面に設けられた浴槽昇降装置とを有することを特徴とするものである。
【０００７】
本発明において好ましくは、上記台板昇降装置が、エア給排装置からのエアの給排により上下方向に伸縮する第１エア袋で形成されていて、２つの第１エア袋が台板の長さ方向の一端寄りの位置と他端寄りの位置とに配設され、また、上記浴槽昇降装置が、エア給排装置からのエアの給排により上下方向に伸縮する第２エア袋で形成されていて、２つの第２エア袋が浴槽の長さ方向の一端寄りの位置と他端寄りの位置とに配設されていることである。
【０００８】
また、本発明においては、上記浴槽の槽底壁が硬質材により形成され、上記槽側壁は、エア給排装置からのエアの給排により伸縮自在なるように形成されていて、エアが供給されると伸長して浴槽を形作り、エアが排出されると縮小して折り畳まれるようになっていることが望ましい。
上記槽底壁及び台板は、エアが排出された槽側壁を内側にして折曲可能であることが望ましい。
【発明の効果】
【０００９】
本発明の介護用浴槽装置は、台板をベッドと同じ高さである移乗位置に上昇させた状態で、被介護者をベッドから横移動させてこの台板状に移乗させ、そのあと該台板を入湯位置まで下降させることにより被介護者を入湯させ、体や髪を洗うなどの入浴介護を行い、それが終了すると、上記台板を再び移乗位置まで上昇させ、被介護者の体を拭いて衣服を着せたあと、被介護者を台板から横移動させてベッドに戻すことができるので、従来のように介護者が被介護者を抱き抱えて入浴介護を行う必要がなく、少ない手間と少ない肉体的負担とによって被介護者を入浴させることができる。
【図面の簡単な説明】
【００１０】
【図１】本発明に係る介護用浴槽装置の第１実施形態を示す平面図である。
【図２】図１のＩＩ−ＩＩ線に沿った断面図である。
【図３】図１のＩＩＩ−ＩＩＩ線に沿った断面図である。
【図４】本発明に係る介護用浴槽装置の１つの使用過程を示す部分断面図である。
【図５】本発明に係る介護用浴槽装置の他の使用過程を示す断面図である。
【図６】本発明に係る介護用浴槽装置の不使用状態の断面図である。
【図７】槽側壁と第１及び第２エア袋の他の構成態様を示す断面図である。
【図８】槽側壁と第１及び第２エア袋の更に他の構成態様を示す断面図である。
【図９】槽側壁と第１及び第２エア袋とをエア給排装置に接続した状態を概略的に示す接続図である。
【図１０】本発明に係る介護用浴槽装置の第２実施形態を示す断面図である。
【図１１】図１０の介護用浴槽装置を折り畳んだ状態の断面図である。
【図１２】浴槽及び台板のための揺れ止め機構の他例を示す部分断面図である。
【図１３】台板昇降装置の他の構成態様を示す要部断面図である。
【図１４】浴槽の他の構成例を示す平面図である。
【発明を実施するための形態】
【００１１】
以下、図を参照しながら本発明に係る介護用浴槽装置について詳述する。図１−図３に示す第１実施形態の浴槽装置１Ａは、槽底壁３及び槽側壁４からなる浴槽２と、被介護者Ａを寝かせた姿勢で載せるために上記浴槽２内に昇降可能に配設された台板５と、上記台板５を昇降させるために該台板５と上記槽底壁３との間に介設された台板昇降装置６と、上記浴槽２を昇降させるために上記槽底壁３の下面に取り付けられた浴槽昇降装置７と、上記浴槽２を必要な場所に移動させるために上記浴槽昇降装置７の下面に取り付けられたキャスター８とを有している。
【００１２】
上記浴槽２の槽底壁３は、合成樹脂や金属等の硬質素材で平板状に形成され、その上面に上記槽側壁４が取り付けられている。この槽底壁３は、浴槽２内に張られた温湯Ｗの重さと台板５に載せられた被介護者Ａの体重とが作用しても、下方に湾曲するなどの変形を生じない強度を有している。
【００１３】
上記槽側壁４は、エアの給排により上下方向に伸縮する中空部材によって平面視形状が長円形あるいは矩形の枠状に形成され、下端部が上記槽底壁３の上面に液密に固定されている。そして、該槽側壁４の内部にエアが充填されると、該槽側壁４が図２及び図３のように立ち上がって浴槽２を形作り、該槽側壁４の内部のエアが排出されると、該槽側壁４が図６のように圧縮された状態に折り畳まれるようになっている。
【００１４】
上記中空部材は、合成ゴムやビニールあるいは気密処理を施した布等からなるもので、エアを充填した状態で槽側壁４として必要な強度を保ち得るような剛性と弾性とを有している。この中空部材は、図２及び図３に示す例では、断面形状が上下に細長い矩形あるいは長円形状をしているが、エアの給排によって上下方向に伸縮し易いように、図７に示すように、襞９を上下に複数段有する蛇腹状の断面形状に形成することも、あるいは、図８に示すように、小さな円形断面又は楕円形断面の小室１０を上下に複数段積み重ねたような断面形状に形成することもできる。
なお、図示した実施形態において、上記槽側壁４は、上端側が外側に向けて少し傾斜しているが、上下方向に真っ直ぐに延びていても良い。
【００１５】
上記台板５は、合成樹脂等の硬質素材によって上記浴槽２の平面視形状より小形の矩形形状に形成され、該台板５を上下に貫通する複数の孔１１を開けることによって多孔状とされている。図示の例で上記孔１１は、台板５の長手方向に細長い長孔であるが、台板５の幅方向に細長い長孔であっても良く、円形の孔であっても良い。
【００１６】
上記台板５は、図４に示すように、被介護者ＡをベッドＢから横移動させてこの台板５上に載せたり、この台板５から横移動させてベッドＢに戻したりするものであるため、上面を平滑な滑り易い面にしておくことが望ましい。あるいは、該台板５の複数箇所に、図１に鎖線で示すような小さなローラ１２を該台板５の長手方向の支軸１２ａを中心に回転自在なるように取り付け、このローラ１２で被介護者Ａの横移動を補助させるように構成することもできる。
【００１７】
上記台板昇降装置６は、上記台板５の長手方向両端寄りの位置に互いに平行に配設された２つの第１エア袋６ａを有している。この第１エア袋６ａは、上記槽側壁４を形成する中空部材と同様の素材により、台板５の幅方向に細長い矩形のブロック形をしてエアの給排により上下に伸縮自在なるように形成され、その上端が上記台板５に固定され、下端が槽底壁３に固定されている。なお、該第１エア袋６ａの長さは、上記台板５の幅と同じかそれより僅かに小さい。
【００１８】
そして、上記２つの第１エア袋６ａに対してエアが給排されると、該第１エア袋６ａが上下方向に伸縮して上記台板５を昇降させる。即ち、上記第１エア袋６ａに十分な量のエアが供給されると、図２及び図３に示すように、該第１エア袋６ａが大きく膨張して立ち上がり、台板５を槽側壁４の上端とほぼ同じ高さ（上昇位置）まで上昇させ、上記第１エア袋６ａ内のエアの一部が排出されると、図５に示すように、該第１エア袋６ａがその分だけ収縮して下降し、台板５及び被介護者Ａを温湯Ｗ中に浸漬させる高さ（入湯位置）まで下降させる。
【００１９】
また、上記第１エア袋６ａ内のエアが全て排出されると、図６に示すように、該第１エア袋６ａは完全に収縮した状態に折り畳まれ、台板５を最下段の位置まで下降させる。
従って、上記台板昇降装置６は、上記第１エア袋６ａに対するエアの給排量を調整することにより、台板５を必要な高さに無段階に昇降させることができるものである。
【００２０】
なお、上記第１エア袋６ａは、図２及び図３に示す例では、矩形の断面形状を有しているが、その断面形状は円形や長円形であっても良く、あるいは、エアの給排によって上下方向に伸縮し易いように、図７に示すように、襞９を上下に複数段有する蛇腹状の断面形状や、図８に示すように、小さな円形断面又は楕円形断面の小室１０を上下に複数段積み重ねたような断面形状に形成することもできる。
【００２１】
上記台板５が入湯位置にあるとき、上記第１エア袋６ａ内のエアの一部は排出されているため、該第１エア袋６ａはやや柔軟性が増した状態にある。そこで、被介護者Ａの入浴時に台板５が傾いたりぐらついたりするのを防止して安定性を高めるため、揺れ止め機構として、図２に鎖線で示すように、上記２つの第１エア袋６ａの互いに相対する内側面又は互いに相反する外側面あるいは内外両側面に沿った位置に、台板５の下面から下向きに延びる板状の支持部材１４を取り付け、台板５が上記入湯位置まで下降したときこの支持部材１４が槽底壁３に当接するようにすることができる。この支持部材１４は、槽底壁３に上向きに設置しても良く、複数の棒状の部材であっても良い。あるいは、上記支持部材１４を起倒自在として必要時に起立させるようにすることもできる。更には、伸縮自在とすることによって高さを調整できるようにすることもできる。
なお、上記支持部材１４を固定的に設けた場合には、第１エア袋６ａを上記入湯位置以下に折り畳んで台板５をそれ以下に下降させることはできない。
【００２２】
上記浴槽昇降装置７は、槽底壁３の長手方向両端寄りの位置に互いに平行に配設された２つの第２エア袋７ａで形成されている。この第２エア袋７ａは、上記台板昇降装置６を形成する第１エア袋６ａと同様の素材により、浴槽２の幅方向に細長い矩形のブロック形をしてエアの給排により上下に伸縮自在なるように形成され、その上端が上記槽底壁３の下面に固定され、下端には硬質の基板１５が固定され、この基板１５に上記キャスター８が取り付けられている。なお、該第２エア袋７ａの長さは上記槽底壁３の幅と同じかそれより僅かに小さい。
また、上記２つの第２エア袋７ａ，７ａの下端に取り付けられている上記基板１５，１５は、必ずしも２つに分かれている必要はなく、図２に鎖線で示すように１枚の板１５Ａで形成されていても良い。
【００２３】
そして、上記２つの第２エア袋７ａに対してエアが給排されることにより、該第２エア袋７ａが上下方向に伸縮し、図４に示すように、槽側壁４の上端がベッドＢの上面とほぼ同じ高さ（移乗位置）になるように上記浴槽２の高さが調整される。
また、上記キャスター８により、浴槽２をベッドＢに隣接する位置やその他の必要な位置まで運ぶことができる。
【００２４】
なお、上記第２エア袋７ａは、図２及び図３に示す例では、矩形の断面形状を有しているが、その断面形状は円形や長円形であっても良く、あるいは、エアの給排によって上下方向に伸縮し易いように、図７に示すように、襞９を上下に複数段有する蛇腹状の断面形状や、図８に示すように、小さな円形断面又は楕円形断面の小室１０を上下に複数段積み重ねたような断面形状に形成することもできる。
【００２５】
また、上記移乗位置において被介護者ＡをベッドＢから台板５上に移乗させるとき、上記第２エア袋７ａの変形によって浴槽２が傾いたりぐらついたりして不安定になるのを防止するため、揺れ止め機構として、図２に鎖線で示すように、上記槽底壁３の２つの第２エア袋７ａの近くに、高さを調整可能な板状又は棒状の支持部材１６をそれぞれ起倒自在に取り付け、この支持部材１６を上記移乗位置で床面に当接させることによって安定性を保つように構成することもできる。上記基板１５，１５が１枚の板１５Ａで形成されている場合には、上記支持部材１６を該基板に当接させるようにすることもできる。
【００２６】
上記槽側壁４と２つの第１エア袋６ａと２つの第２エア袋７ａとは、図９から分かるように、ビニールチューブからなる配管１７ａ，１７ｂ，１７ｃにより切換弁１８ａ，１８ｂ，１８ｃを介して圧力エア源１９に接続され、各切換弁１８ａ，１８ｂ，１８ｃの切換動作によって圧力エア源１９と大気とに接続されることにより、エアが選択的に給排されるようになっている。上記配管１７ａ，１７ｂ，１７ｃと切換弁１８ａ，１８ｂ，１８ｃと圧力エア源１９とは、エア給排装置２０を形成するものである。
【００２７】
上記配管１７ａ，１７ｂ，１７ｃは、上記槽側壁４と２つの第１エア袋６ａと２つの第２エア袋７ａとにそれぞれ形成された接続ポート２１ａ，２１ｂ，２１ｃに着脱自在に接続され、それによって浴槽装置１Ａの不使用時に、エア給排装置２０を上記槽側壁４と第１エア袋６ａ及び第２エア袋７ａから切り離すことができるようになっている。
上記切換弁１８ａ，１８ｂ，１８ｃは、電磁操作式の切換弁であっても、手動操作式の切換弁であっても良い。
【００２８】
上記構成を有する介護用浴槽装置１Ａは、次のようにして使用する。
先ず、この浴槽装置１Ａが図６のように折り畳まれているときは、槽側壁４にエア給排装置２０からエアを供給することにより、図２及び図３に示すように、該槽側壁４を伸長させて浴槽２を形成する。また、上記第１エア袋６ａ及び第２エア袋７ａにもエアを供給することにより、台板５を槽側壁４と同じ高さになる移乗位置まで上昇させると共に、浴槽２を上記台板５がベッドＢの上面とほぼ同じ高さになる上昇位置まで上昇させる。
【００２９】
次に、組み立てた浴槽装置１ＡをベッドＢに隣接する位置まで移動させ、上記浴槽２内に温湯Ｗを張る。この温湯Ｗを張る作業は、図示しない給湯源に接続した給湯ホースで温湯Ｗを浴槽２内に導くことにより行われるが、その際、図２に鎖線で示すように、上記槽底壁３の下面やその他の適宜位置に上記浴槽２内に通じる温湯給排口２２を形成し、この温湯給排口２２に上記給湯ホースを接続して温湯Ｗを浴槽２内に供給するようにするのが好ましい。この温湯給排口２２は、コックで開閉できるように構成される。
【００３０】
続いて、図４に示すように、ベッドＢに寝ている被介護者Ａを横移動させて上記台板５上に移し、その後、図５に示すように、上記第１エア袋６ａ内のエアを少し排出して台板５を温湯Ｗ中に浸漬する入湯位置まで下降させることにより、被介護者Ａを入湯させ、体洗いなどの入浴介護を行う。このとき、２つの第１エア袋６ａ内のエア量を別々に調整できるようにしておくか、上記支持部材１４（図２参照）の高さを頭部側と足部側とで互いに違えておくことにより、上記台板５を頭部側が足部側より若干高くなるように傾斜させることができる。
【００３１】
入浴が終わると、図４に示すように、上記第１エア袋６ａ内にエアを供給することにより台板５を湯面より高い移乗位置まで持ち上げ、被介護者Ａの体を拭いたり衣服を着せるなどの作業を行ったあと、被介護者Ａを横移動させてベッドＢに戻す。
【００３２】
そして、浴槽２内の温湯を排出する。その際、上記温湯給排口２２が設けられているときは、この温湯給排口２２に排水ホースを接続し、コックを開いて浴槽２内の温湯Ｗを排出する。
温湯の排出が終わると、切換弁１８ａ，１８ｂ，１８ｃを切り換えて上記槽側壁４と第１エア袋６ａ及び第２エア袋７ａ内のエアを排出することにより、これらの槽側壁４と第１エア袋６ａ及び第２エア袋７ａを収縮させて図６のように低く折り畳んだ状態にし、その状態で浴槽装置１Ａを適宜位置に収納するか、別の使用場所に搬送する。
【００３３】
図１０及び図１１は本発明の第２実施形態を示すもので、この第２実施形態の浴槽装置１Ｂが上記第１実施形態の浴槽装置１Ａと相違する点は、収納時に浴槽２が実質的に２つに折曲可能であるという点である。
【００３４】
このため、この浴槽装置１Ｂにおいては、槽底壁３に浴槽２の幅方向に延びる互いに平行な２つの折線２５，２５を形成することにより、該槽底壁３が、上記２つの折線２５，２５間に位置する幅狭の中央壁部３ａと、上記折線２５を介して該中央壁部３ａの一方側と他方側とに位置する幅広の２つの本体壁部３ｂ，３ｂとに区分されている。
上記台板５も同様に、長さ方向の中央部において、幅方向に延びる折線２６で２つに折曲できるように形成されている。この折線２６は、上記槽底壁３と同様に２つ設けることもできる。
【００３５】
また、浴槽装置の使用時に上記槽底壁３及び台板５が上記折線２５及び２６の位置で折れ曲がるのを防止するため、上記槽底壁３には、折曲防止装置として、上記２つの本体壁部３ｂ，３ｂにおける折線２５，２５に近接する位置の下面に、上記浴槽昇降装置７としての機能を併せ持つ第３エア袋７ｂがそれぞれ設けられ、該第３エア袋７ｂの底部に基板１５とキャスター８とが取り付けられている。この第３エア袋７ｂは、上記第２エア袋７ａと同様の素材によって同様の構成を有するように形成され、上記エア給排装置２０によってエアが給排されるようになっている。
【００３６】
上記台板５にも、折曲防止装置として、上記折線２６に近接する位置の下面と上記槽底壁３の上面との間に、上記台板昇降装置６としての機能を併せ持つ第４エア袋６ｂが設けられ、上記エア給排装置２０によってエアが給排されるように構成されている。この第４エア袋６ｂは、上記第１エア袋６ａと同様の素材によって同様の構成を有するように形成されたものである。
なお、図示の例では、上記折線２６の片側だけに上記第４エア袋６ｂが設けられているが、折線２６の両側に該第４エア袋６ｂを設けることもできる。
【００３７】
しかし、上記折曲防止装置としては、必ずしも上述したようなエア袋６ｂ，７ｂを用いる必要はなく、上記槽底壁３及び台板５を折れ曲がらないように支持することができるその他の適宜手段を用いることができる。
【００３８】
また、上記槽底壁３の長さ方向の両端部には、下向きに折り曲げられた折曲部３ｃが形成され、この折曲部３ｃにキャスター２７が取り付けられている。
【００３９】
そして、上記槽側壁４、第１エア袋６ａ及び第４エア袋６ｂ、第２エア袋７ａ及び第３エア袋７ｂ内のエアを排出してそれらを収縮させた状態で、上記槽底壁３を２本の折線２５，２５の位置で上記槽側壁４を内側にして折曲すると共に、台板５を折線２６の位置で折曲することにより、図１１に示すように、上記槽底壁３の２つの本体壁部３ｂ，３ｂ間に上記槽側壁４を挟み込んだ状態で折り畳むことができるものである。
折り畳んだ浴槽装置１Ｂは、図１１の状態と上下逆向きにし、上記キャスター２７で必要な場所に移動させることができる。
【００４０】
この場合、浴槽装置１Ｂの使用時に浴槽２内の温湯が上記折線２５を通じて外部に漏れ出さないようにするため、上記槽底壁３の上面には、合成ゴムやビニールあるいは液密処理を施した布等からなる柔軟な防漏シート２８が張設され、この防漏シート２８が上記槽側壁４に一体に連結されている。この防漏シート２８は、上記折線２５の位置で繰り返し折り曲げられても簡単には破れないような強度を有するものであることが望ましい。
なお、上記第１実施形態の浴槽装置１Ｂにおいてもこのような防漏シートを槽底壁３の上面に設けることができる。
【００４１】
第２実施形態の上記以外の構成は実質的に第１実施形態と同じであるから、第１実施形態と同一の主要構成部分に第１実施形態と同一の符号を付し、その具体的な説明は省略する。
【００４２】
なお、上記実施形態では、上記台板５及び浴槽２が傾いたりぐらついたりするのを防止するための揺れ止め機構として、支持部材１４及び支持部材１６を用いているが、図１２に示すような揺れ止め機構を用いることもできる。
【００４３】
このうち、台板５のための第１揺れ止め機構３４は、長孔３５ａを有する２本のレバー３５を交差させ、上記長孔３５ａに挿通した螺子３６で必要な傾斜角度に固定可能としたもので、２本のレバー３５の上端は台板５の側面に取付軸３７で回動自在に連結され、該レバー３５の下端はフリーの状態のまま槽底壁３の上面に当接している。このような揺れ止め機構３４が台板５の両端に２組設けられている。
そして、図１２に実線で示すように台板５が上昇位置にあるときは、２本のレバー３５は特に固定する必要がないので螺子３６は緩められており、同図に鎖線で示すように台板５が入湯位置まで下降したとき、上記螺子３６が締められて２本のレバー３５はその傾斜角度に相互固定される。これにより台板５は安定し、被介護者の入浴時に傾いたりぐらついたりすることがない。
【００４４】
また、浴槽のための第２揺れ止め機構４４は、上記第１揺れ止め機構３４と同様に、長孔４５ａを有する２本のレバー４５を交差させ、長孔４５ａに挿通した螺子４６で必要な傾斜角度に固定できるようにしたもので、２本のレバー４５の上端は槽底壁３の側面に取付軸４７で回動自在に連結され、該レバー４５の下端はフリーの状態のまま床面に当接している。このような揺れ止め機構４４が槽底壁３の両端に２組設けられている。
そして、図１２に実線で示すように浴槽２が移乗位置に上昇しているとき、上記螺子４６が締められて２本のレバー４５はその傾斜角度に相互固定される。これにより浴槽２は安定し、被介護者がベッドから台板５状に移乗するときや台板５からベッドに移乗するとき傾いたりぐらついたりすることがない。
【００４５】
なお、図１２において、上記揺れ止め機構３４、４４を除いた構成は上記第１実施形態と同様であるから、主要な同一構成部分に同一符号を付してその説明は省略する。
【００４６】
上記実施形態では、台板昇降装置６が第１エア袋６ａ及び第４エア袋６ｂで形成されているが、この第１エア袋６ａ及び第４エア袋６の代わりに、図１３に示すようなエアシリンダ３０で形成することもできる。このエアシリンダ３０は、槽底壁３の下面に取り付けられたシリンダ本体３０ａと、該シリンダ本体３０ａから槽底壁３を摺動自在に貫通して浴槽２の内部に延出するロッド３０ｂとからなるもので、該ロッド３０ｂの上端が台板５に連結されている。また、上記ロッド３０ｂが温湯Ｗと接触するのを防止するため、上記台板５と槽底壁３との間には、上記ロッド３０ｂを液密に取り囲むベローズ３１が配設され、該ベローズ３１の内部空間は、槽底壁３に設けた通孔３２により大気に開放されている。
【００４７】
また、基板１５，１５が一枚の板で形成されている場合には、上記浴槽昇降装置７を、上記台板昇降装置６と同様に、図１３に示すようなエアシリンダ３０で形成することできる。
【００４８】
更に、上記槽側壁４は、必ずしも中空部材によって伸縮自在に形成する必要はなく、通常の浴槽のように、槽底壁３と同様の硬質素材によって最初から浴槽としての形状を有するように形成することもできる。この場合、槽側壁４と槽底壁３とは一体に形成することができる。
【００４９】
また、上記第１実施形態の浴槽装置１Ａのように、浴槽２の槽底壁３が折曲されない構成のものにおいては、該槽底壁３の内部に上記槽側壁４と第１エア袋６ａと第２エア袋７ａとにそれぞれ通じる複数のエア通孔を形成すると共に、該槽底壁３の側面に各エア通孔に通じる複数の接続ポート２１ａ，２１ｂ，２１ｃを形成し、この接続ポート２１ａ，２１ｂ，２１ｃに上記配管１７ａ，１７ｂ，１７ｃを着脱自在に接続することにより、該槽底壁３をエアの給排に使用することができる。
更にまた、上記浴槽２の内部は、図１４に示すように、仕切壁４８によって大室部分２ａと小室部分２ｂとに区画し、小室部分２ｂを洗髪用として使用することができる。
【符号の説明】
【００５０】
１Ａ，１Ｂ      浴槽装置
２      浴槽
３      槽底壁
３ａ      中央壁部
３ｂ      本体壁部
４      槽側壁
５      台板
６      台板昇降装置
６ａ      第１エア袋
７      浴槽昇降装置
７ａ      第２エア袋
２０      エア給排装置
Ａ      被介護者
Ｂ      ベッド
Ｗ      温湯
【図１】
2012100747.tif 000003
【図２】
2012100747.tif 000004
【図３】
2012100747.tif 000005
【図４】
2012100747.tif 000006
【図５】
2012100747.tif 000007
【図６】
2012100747.tif 000008
【図７】
2012100747.tif 000009
【図８】
2012100747.tif 000010
【図９】
2012100747.tif 000011
【図１０】
2012100747.tif 000012
【図１１】
2012100747.tif 000013
【図１２】
2012100747.tif 000014
【図１３】
2012100747.tif 000015
【図１４】
2012100747.tif 000016